(57)【要約】【課題】釣竿を誤って落としてもグリップ部の破損を防止できる釣竿を提供することにある。【解決手段】竿杆２の後端に設けられたグリップ部８の後端に、上記竿杆２の長手軸の後方へ突き出した緩衝部１７を有した保護部材１５を取り付けた釣竿１。【選択図】    図２
2008187917.tif 000002
【特許請求の範囲】
【請求項１】
竿杆と、
この竿杆の後端に設けられたグリップ部と、
上記グリップ部の後端に取り付けられる取付け部と、板厚が上記グリップ部の後端部の左右の幅よりも小さい板状部材によって形成され、上記グリップ部の後端から上記竿杆の長手軸の後方へ突き出した部分と上記グリップ部の後端の下端より釣竿の下側に向けて突き出した部分とを含む緩衝部と、を有した保護部材と、
を具備したことを特徴とする釣竿。
【請求項２】
上記緩衝部は、緩衝性を高めるためのくり抜き部を形成したものであることを特徴とする請求項１に記載の釣竿。
【請求項３】
上記保護部材は、金属製であることを特徴とする請求項１または請求項２に記載の釣竿。
【請求項４】
上記保護部材は、上記グリップ部にビスにより取付け固定され、上記グリップ部に対して着脱交換可能であることを特徴とする請求項１、請求項２または請求項３に記載の釣竿。
【請求項５】
上記取付け部を、上記グリップ部の本体内に差し込み、上記取付け部に上記ビスをねじ込むと共に、上記ビスの頭部と上記保護部材の一部の間に位置する上記グリップ部の本体の部分を上記ビスによって締め付け固定したことを特徴とする請求項４に記載の釣竿。
【請求項６】
上記グリップ部の本体は、天然木製または強化木製であり、上記ビスの頭部と上記保護部材の一部の間に位置する上記グリップ部の本体の部分における木目を上記ビスが横切ることを特徴とする請求項５に記載の釣竿。
【発明の詳細な説明】
【技術分野】
【０００１】
本発明は、竿杆の後端にグリップ部を備えた釣竿に関する。
【背景技術】
【０００２】
実釣現場では、釣竿を握り替えたり、使用する釣竿を交換したりすることが頻繁に行われ、この際に釣竿を落とし易い。釣竿を露出したまま持ち運ぶ場合にも釣竿を落とし易い。
【特許文献１】特開平７−１１５８７９号
【発明の開示】
【発明が解決しようとする課題】
【０００３】
釣竿は、最も弱い竿管を保護するため、竿尻を下に向け、竿先を上に向けた姿勢で取り扱われる。また、グリップ部やリールのある竿尻の方が竿先に比べて重いので、自然に竿尻が下がり竿先を上に向けた姿勢で取り扱われる。したがって、誤って釣竿を取り落としてしまった場合、グリップ部から先に落ちて、グリップ部の後端が、石やコンクリート等の硬い物に当たり、破損し易い。硬質なグリップ部は、大きな衝撃を受けることにより、破損したり、傷付いたり、変形したりし易いものである。特に、天然木製または強化木製の場合、その木目に沿って割れ易い。
【０００４】
グリップ部が割れたり大きく破損したりすると、グリップ部としての機能が損なわれ、釣りに使用できなくなる。また、釣りに使用することができる程度の破損であっても変形した部分がグリップ部を握る手に当たり、痛くなる。また、グリップ部を把持する操作に違和感が生じて繊細な釣技の妨げになる等、使い勝手が悪いものとなる。
【０００５】
本発明は上記課題に着目してなされたもので、その目的とするところは、釣竿を誤って落としてもグリップ部の破損を防止できる釣竿を提供することにある。
【課題を解決するための手段】
【０００６】
請求項１に係る発明は、竿杆と、この竿杆の後端に設けられたグリップ部と、上記グリップ部の後端に取り付けられる取付け部と、板厚が上記グリップ部の後端部の左右の幅よりも小さい板状部材によって形成され、上記グリップ部の後端から上記竿杆の長手軸の後方へ突き出した部分と上記グリップ部の後端の下端より釣竿の下側に向けて突き出した部分とを含む緩衝部と、を有した保護部材と、を具備したことを特徴とする釣竿である。
【０００７】
請求項２に係る発明は、上記緩衝部は、緩衝性を高めるためのくり抜き部を形成したものであることを特徴とする請求項１に記載の釣竿である。
【０００８】
請求項３に係る発明は、上記保護部材は、金属製であることを特徴とする請求項１または請求項２に記載の釣竿である。
【０００９】
請求項４に係る発明は、上記保護部材は、上記グリップ部にビスにより取付け固定され、上記グリップ部に対して着脱交換可能であることを特徴とする請求項１、請求項２または請求項３に記載の釣竿である。
【００１０】
請求項５に係る発明は、上記取付け部を、上記グリップ部の本体内に差し込み、上記取付け部に上記ビスをねじ込むと共に、上記ビスの頭部と上記保護部材の一部の間に位置する上記グリップ部の本体の部分を上記ビスによって締め付け固定したことを特徴とする請求項４に記載の釣竿である。
【００１１】
請求項６に係る発明は、上記グリップ部の本体は、天然木製または強化木製であり、上記ビスの頭部と上記保護部材の一部の間に位置する上記グリップ部の本体の部分における木目を上記ビスが横切ることを特徴とする請求項５に記載の釣竿である。
【発明の効果】
【００１２】
本発明によれば、比較的簡単な構成でありながら釣竿を誤って落としてもグリップ部の破損・変形・割れ等を防止できる。
【発明を実施するための最良の形態】
【００１３】
図１〜３に基づき、本発明の実施形態に係る釣竿を説明する。図１は、本実施形態に係る釣竿１の全体を示す側面図である。釣竿１は、管状の竿杆２と、この竿杆２の基端に接続された操作部３とを備えるキャステングに適したタイプのものである。竿杆２にはその基端から先端に亘って複数の釣糸ガイド４が所定の間隔で取り付けられている。操作部３にはリール取付け部７とグリップ部８とが設けられている。本実施形態では操作部３の本体における竿先（先端）側部位に位置してリール取付け部７が配設され、リール取付け部７よりも竿尻（後端）側に位置して硬質なグリップ部８が配設されている。また、リール取付け部７はベイトタイプの魚釣用リール９を上側に配置して装着するように魚釣用リール９の脚を載置する着座や魚釣用リール９の脚を係着するフードや固定ナット等の係着具１０を備える。リール取付け部７の前方に位置して前側グリップ部を形成するようにしてもよい。
【００１４】
このグリップ部８の本体部材１１は、上記リール取付け部７を備える部分の部材とは別の部材によって握りに適した形に形成される。グリップ部８とリール取付け部７の部分は別の部材によってそれぞれ形成する場合に限らず、また、両者を同質の材料で一体に形成するようにしてもよい。グリップ部８の本体１１はこれを把持する一体感が得られるように少なくとも外皮部分が比較的硬質な材料、例えば、金属（アルミニウム、ステンレススチール等）、天然木または強化木等の木材、合成樹脂などの材料が使用されている。ここで、硬質な材料であるとはコルクやゴム状の弾性を呈する素材を除外する意味である。
【００１５】
そして、グリップ部８の本体１１を合成樹脂で形成する場合は一体成形であることが好ましい。また、天然木の場合はその木目の方向をグリップ部８の握持中心軸Ｌ1に略平行に沿うように配置することが好ましい。ここで、木目の方向と、グリップ部８の握持中心軸Ｌ1の方向とが略平行に沿うことは、両者が一致する場合に限らず、木目の方向にグリップ部８の握持中心軸Ｌ1の方向に略平行に沿う成分を含む意味である。また、グリップ部８の下部から一体に下方へ突き出して形成するトリガー１２や、グリップ部８の上面部にリール取付け部を形成する場合、木目の面方向を上下方向（縦方向）に配置した方が、水平方向（横方向）に配置する場合に比べて、それらの部分の木目によっての割れ現象が起き難く、トリガー１２やリール取付け部の部分の強度を高めることができる。グリップ部８の本体１１は中実でも中空でもよい。本体８を中空なものとすると、そのグリップ部８の軽量化が図れる。
【００１６】
上記グリップ部８の先端部位における下面部には下方へ突き出したトリガー１２が上記本体８と一体に形成されている。トリガー１２は上記魚釣用リール９とは逆側の下側に向けて設けられている。トリガー１２はグリップ部８を握る手の指先を掛けて釣竿１を保持し、釣竿１を操作し易くするためのものである。
【００１７】
上記グリップ部８の最後端の尻部分（グリップエンド）は図２及び図３に示すように他の部分よりも太めに形成され、グリップ部８を握る手の平がしっかりと当たる手当て部として膨出した後端部１３となっている。本実施形態の場合の後端部１３は後端側が僅かに下側に下がるように傾斜している。
【００１８】
上記グリップ部８の後端部１３には落下等においてグリップ部８を衝突の衝撃から保護するための保護部材１５が取り付けられている。保護部材１５は例えば金属製の板状の部材からなり、グリップ部８の後端部に取り付けるための取付け部１６と、グリップ部８の後端から後方へ突き出した突出部分によって形成した緩衝部１７とを有する。保護部材１５はその板面方向を釣竿１の上下方向に合わせてグリップ部８の後端部１３に取り付けられている。また、緩衝部１７は緩衝能力を形状的に高めるためにくり抜き部１８ａ，１８ｂを形成してなり、枠状に形成することにより緩衝部１７に弾性を付与するようになっている。くり抜き部１８ａ，１８ｂを設けたことにより保護部材１５の軽量化も図れる。くり抜き部１８ａ，１８ｂは保護部材１５を完全に突き抜ける孔でなくとも緩衝能力を確保できれば、突き抜けない凹部でもよい。また、保護部材１５の材質を含めてその形状等を適宜組み合わせて緩衝部１７を構成するものでもよい。緩衝部１７は所定の強度を維持しながら緩衝性能を発揮するように形成される。緩衝部１７が金属製である場合は、緩衝部１７を所定の強度を維持しながら緩衝性能を発揮するように設計や加工がし易くなり、しかも、緩衝部１７の強度を高めることができる。
【００１９】
上記保護部材１５の緩衝部１７は図４（Ａ）（Ｂ）に示すように形成してもよい。図４（Ａ）に示すものは上述した一方のくり抜き部１８ａをなくすと共に、緩衝部１７の下方端部を丸め、その下方端部の中心に他方のくり抜き部１８ｂを形成し、更に、緩衝部１７の後端縁部１９を窪む形状としたものである。また、図４（Ｂ）に示すものは上記両くり抜き部１８ａ，１８ｂの両方がないものである。
【００２０】
上記保護部材１５の緩衝部１７はグリップ部８の最後端から後方へと延びると同時に、グリップ部８の後端部１３における最下端から下方へ延びる、グリップ部８の後端部１３の最下端から下方へ突き出す部分２０を形成している。上記緩衝部１７の部分の板厚は、上記グリップ部８の後端部１３の径よりも小さい。また、上記緩衝部１７の部分の板厚は、上記グリップ部８の後端部１３の左右の幅よりも小さい。かつ、上記保護部材１５の緩衝部１７の左右面部分及び上側部分は、グリップ部８の後端部１３の左右幅内及び上面部位以下の範囲内の高さで配置され、そのグリップ部８の後端部１３の左右幅及び上面部に対応した領域の範囲から外へはみ出さず、逃げ寸法Ｓを有する（図２及び図３参照）。これによって、グリップ部８を握持したときに、緩衝部１７が手に当たることが少なく、操作の邪魔にならないと共に握持する際に違和感を受けない。緩衝部１７における下方へ突き出す部分２０の後端部１３の最下端から下方への突出量（Ｈ2）を、グリップ部８の最後端から後方への突出量（H1）に比べて、極力大きくした。更に、緩衝部１７の下方へ突き出した部分２０の先端位置は、上記トリガー１１の下方先端の位置よりも下方に位置するように形成した。緩衝部１７の下部をグリップ部８の後端部１３の最下端から下方への突き出したことによって釣竿１が水平な姿勢で落下した場合、緩衝部１７の下部が先に当たり易く、また、上記トリガー１１の下方先端の位置よりも下方に位置するため、トリガー１１側よりも保護部材１５の緩衝部１７が先に地面等に当たり、下方に突き出したトリガー１１の保護になる。
【００２１】
また、図３に示すように、グリップ部８の後端部１３には上記保護部材１５の取付け部１６を嵌め込むための溝状の割目（スリット）２１が形成されている。この割目２１に保護部材１５の一部（取付け部１６）を差し込み、グリップ部８の左右の一方から貫入するビス２２によってグリップ部８から抜けないように上記保護部材１５を着脱自在に取付け固定する。
【００２２】
図３に示すように、ビス２２を上記取付け部１６にねじ込み、そのビス２２の頭部２２ａと上記取付け部１６の間でグリップ部８の本体１１の部分を締め付ければ、その本体１１の部分の割れを予防できる。グリップ部８の本体１１を天然木で形成した場合はその木目面を横切るように上記ビス２２を配置し、ビス２２を上記取付け部１６にねじ込み、そのビス２２の頭部２２ａと上記取付け部１６の間で木製のグリップ部８の本体１１部分を締め付ければ、その木製本体１１の後端部１３の木目に沿った衝撃時の割れを有効に予防できる。特に、木製本体１１は自然の吸水等によっても木目に沿った割れを招き易いので、その割れにも有効である。そこで、複数のビス２２を互いに反対側から差し込んで上記取付け部１６にねじ込み、それぞれの頭部２２ａと上記取付け部１６の間で木製本体１１の部分を挟み込んで締め付ける形式にすれば、より一層有効である。上記グリップ部８の本体１１を天然木製である場合、その木目を上記ビス２２が横切り、上記ビス２２の頭部２２ａと上記保護部材１５の一部（取付け部１７）の間で上記グリップ部８の本体１１の部分を締め付けるようにすれば、天然木製グリップ部８の割れを一層有効に防げる。
【００２３】
また、図３に示すように、割目２１はグリップ部８の上下にも突き抜けているが、後方のみに開口する袋状の溝であってもよい。ビス２２は図３に示すように板状の取付け部１６を貫通するようにその取付け部１６にねじ込んでもよく、また、グリップ部８の部材にねじ込んでプレート状の保護部材１５を締め付け固定するものでもよい。
【００２４】
上記保護部材１５はビス２２をグリップ部８から外せば、グリップ部８から取り外せる。つまり、保護部材１５はグリップ部８に対して着脱自在である。グリップ部８に対して保護部材１５を固定的に取り付けるようにしてもよい。また、上記保護部材１５を嵌め込んだ後の溝状の割目（スリット）２１に隙間が残る場合はそれを樹脂等の封止剤を埋め込んでもよい。
【００２５】
次に、この釣竿１を使用する際の作用について説明する。一般に、実釣現場では、釣竿１を握り替えたり、使用する釣竿１を交換したりすることが頻繁に行われ、また、釣竿１を露出したまま持ち運ぶ場合もある。このような場合に釣竿１を誤って落とし易い。釣竿１を誤って落とすと、グリップ部８の方から先に落ち易い。しかし、本実施形態ではグリップ部８の後端に保護部材１５を取り付けたので、その保護部材１５が先に地面等における石やコンクリート等の硬い物に当たり、その衝突時の衝撃を緩和し、硬質なグリップ部８を保護する。硬質なグリップ部８は大きな衝撃を受けて破損し易いが、保護部材１５によって保護されるので、グリップ部８が破断したり、傷付いたり、変形したりすることを回避できる。特に、天然木製の場合、木目に沿って割れ易いが、これも防ぐことができる。
【００２６】
以上の如く、グリップ部８が割れたり大きく破損したり変形したりすることが回避でき、実釣中にグリップ部８としての機能が損なわれ、釣りに使用できなくなることを回避できる。また、変形した部分が手に当たり、痛くなったりしてグリップ部８を把持する感覚に違和感が生じて繊細な釣技の妨げになる等の釣技上の支障も回避できる。本発明によれば、釣竿１として種々の優れた利点が生まれる。
【００２７】
なお、本発明は前述した実施形態のものに限定されるものではなく、他の形態にも適用が可能である。
【図面の簡単な説明】
【００２８】
【図１】本発明の一実施形態に係る釣竿の全体を示す側面図である。
【図２】同釣竿の手元操作部付近の側面図である。
【図３】同釣竿の手元操作部におけるグリップ部の後端部分の平面図である。
【図４】（Ａ）（Ｂ）は本発明の実施形態に係る緩衝部材の変形例を示す側面図である。
【符号の説明】
【００２９】
１  …  釣竿
２  …  竿杆
８  …  グリップ部
１１  …  グリップ部の後端部（グリップエンド）
１５  …  保護部材
１７  …  緩衝部
１８ａ…  くり抜き部
１８ｂ…  くり抜き部
２０  …  下側に向けて突き出した部分(20)
２２  …  ビス
【図１】
2008187917.tif 000003
【図２】
2008187917.tif 000004
【図３】
2008187917.tif 000005
【図４】
2008187917.tif 000006